(57)【要約】      （修正有）【課題】動作パワーロスを選択的に調整できる出力バッファを提供する。【解決手段】出力電圧信号を提供する出力バッファは、オペアンプ、コントローラー、および電源回路を有する。オペアンプは入力電圧信号に応じた出力電圧信号を提供する。コントローラーは前記入力電圧信号に対応する参照信号がエネルギー節約条件を満たすか否かを判断し、もし肯定の場合には、エネルギー節約作動イベントを開始させ、もし否定の場合、通常作動イベントを開始させる。電源回路は、エネルギー節約電源信号を供給してエネルギー節約作動イベントに応じて、且つ通常電源信号を供給して通常作動イベントに応じて、オペアンプが入力電圧信号に応じて出力電圧信号を提供するようにオペアンプを駆動する。通常電源信号の電圧レベルは、エネルギー節約電源信号の電圧レベルよりも高い。【選択図】図１
2010171947.tif 000002
【特許請求の範囲】
【請求項１】
出力電圧信号を出力する出力バッファであって、
入力電圧信号に従った出力電圧信号を出力するオペアンプと、
前記入力電圧信号に従った参照信号がエネルギー節約条件を満たすか否かを判断するコントローラーであって、前記参照信号がエネルギー節約条件を満たす場合にエネルギー節約作動イベントを開始させ、前記参照信号がエネルギー節約条件を満たさない場合に通常作動イベントを開始させるコントローラーと、
前記エネルギー節約作動イベントに応じてエネルギー節約電源信号を提供してオペアンプが入力電圧信号に従って出力電圧信号を出力するようにオペアンプを駆動する電源回路であって、該電源回路は、前記通常作動イベントに応じて通常電源信号を提供してオペアンプが入力電圧信号に従って出力電圧信号を出力するようにオペアンプを駆動し、さらに通常電源信号のレベルはエネルギー節約電源信号のレベルよりは高くなる電源回路と
を有することを特徴とする出力バッファ。
【請求項２】
前記参照信号は入力電圧信号に対応したデジタル電圧データであり、前記コントローラーは前記デジタル電圧データが閾値よりも低いとき、前記参照信号がエネルギー節約条件を満たすものと判断することを特徴とする請求項１記載の出力バッファ。
【請求項３】
前記コントローラーは、前記デジタル電圧データの最上位ビット（ＭＳＢ）の値によって前記デジタル電圧データが閾値よりも低いか否かを判断することを特徴とする請求項２記載の出力バッファ。
【請求項４】
前記参照信号は前記入力電圧信号に対応したアナログ電圧信号であり、前記コントローラーは前記アナログ電圧信号のレベルが閾値電圧よりも低いとき、前記参照信号が前記エネルギー節約条件を満たすものと判断することを特徴とする請求項１記載の出力バッファ。
【請求項５】
前記参照信号が前記エネルギー節約条件を満たすとき、前記コントローラーは作動期間中に第１の制御信号を出力して前記エネルギー節約作動イベントを開始させ、
前記第１の制御信号に制御される前記電源回路は第１の電圧信号を前記エネルギー節約電源信号として供給して、前記オペアンプが前記入力電圧信号に従って前記出力電圧信号を出力するようにオペアンプを駆動することを特徴とする請求項１記載の出力バッファ。
【請求項６】
前記参照信号が前記エネルギー節約条件を満たさないとき、前記コントローラーは作動期間中に第２の制御信号を出力して前記通常作動イベントを開始させ、
前記第２の制御信号に制御される前記電源回路は第２の電圧信号を前記通常電源信号として供給して、前記オペアンプが前記入力電圧信号に従って前記出力電圧信号を出力するようにオペアンプを駆動し、
前記第１の電圧信号のレベルは前記第２の電圧信号のレベルよりも低いことを特徴とする請求項５記載の出力バッファ。
【請求項７】
前記コントローラーは第１の位相制御信号と第２の位相制御信号に応じて作動期間を第１の副期間と第２の副期間に分割し、
前記参照信号が前記エネルギー節約条件を満たすとき、前記コントローラーは第１の制御信号と第２の制御信号を前記第１の副期間と前記第２の副期間にそれぞれ出力して前記エネルギー節約作動イベントを開始させ、
前記第１の制御信号および前記第２の制御信号に制御される前記電源回路は第１の電圧信号と第２の電圧信号を前記第１の副期間と前記第２の副期間にそれぞれ出力して、前記オペアンプが前記入力電圧信号に従って前記出力電圧信号を出力するようにオペアンプを駆動することを特徴とする請求項１記載の出力バッファ。
【請求項８】
前記コントローラーは第１の位相制御信号と第２の位相制御信号に応じて作動期間を第１の副期間と第２の副期間に分割し、
前記参照信号が前記エネルギー節約条件を満たさないとき、前記コントローラーは第３の制御信号と第４の制御信号を前記第１の副期間と前記第２の副期間にそれぞれ出力して前記通常作動イベントを開始させ、
前記第３の制御信号および前記第４の制御信号に制御される前記電源回路は第３の電圧信号と第４の電圧信号を前記第１の副期間と前記第２の副期間にそれぞれ出力して、前記オペアンプが前記入力電圧信号に従って前記出力電圧信号を出力するようにオペアンプを駆動することを特徴とする請求項１記載の出力バッファ。
【請求項９】
出力電圧信号を出力する出力バッファであって、
入力電圧信号に従った出力電圧信号を出力するオペアンプと、
前記入力電圧信号に従った参照信号がエネルギー節約条件を満たすか否かを判断するコントローラーであって、前記参照信号がエネルギー節約条件を満たす場合に第１の制御信号を提供し、前記参照信号がエネルギー節約条件を満たさない場合に第２の制御信号を提供するコントローラーと、
前記第１の制御信号によってオン状態となるように制御される第１の電源回路であって、第１の電圧信号を提供してオペアンプが入力電圧信号に従って出力電圧信号を出力するようにオペアンプを駆動する第１の電源回路と、
前記第２の制御信号によってオン状態となるように制御される第２の電源回路であって、第２の電圧信号を提供してオペアンプが入力電圧信号に従って出力電圧信号を出力するようにオペアンプを駆動する第２の電源回路とを有し、
前記第２の電圧信号のレベルは前記第１の電圧信号のレベルよりは高くなることを特徴とする出力バッファ。
【請求項１０】
前記参照信号は入力電圧信号に対応したデジタル電圧データであり、前記コントローラーは前記デジタル電圧データが閾値よりも低いとき、前記参照信号がエネルギー節約条件を満たすものと判断し、前記デジタル電圧データが前記閾値以上のとき、前記参照信号がエネルギー節約条件を満たさないものと判断することを特徴とする請求項９記載の出力バッファ。
【請求項１１】
前記コントローラーは、前記デジタル電圧データの最上位ビット（ＭＳＢ）の値によって前記デジタル電圧データが閾値よりも低いか否かを判断することを特徴とする請求項１０記載の出力バッファ。
【請求項１２】
前記参照信号は前記入力電圧信号に対応したアナログ電圧信号であり、前記コントローラーは前記アナログ電圧信号のレベルが閾値電圧よりも低いとき、前記参照信号が前記エネルギー節約条件を満たすものと判断し、前記アナログ電圧信号のレベルが閾値電圧以上のとき、前記参照信号が前記エネルギー節約条件を満たさないものと判断することを特徴とする請求項９記載の出力バッファ。
【請求項１３】
出力電圧信号を出力する出力バッファであって、
入力電圧信号に従った出力電圧信号を出力するオペアンプと、
第１の位相制御信号と第２の位相制御信号に応じて作動期間を第１の副期間と第２の副期間に分割するコントローラーであって、第１の制御信号と第２の制御信号を前記第１の副期間と前記第２の副期間にそれぞれ出力するコントローラーと、
前記第１の副期間と前記第２の副期間の前記第１の制御信号と前記第２の制御信号に応じて第１の電圧信号と第２の電圧信号をそれぞれ提供して前記オペアンプが入力電圧信号に従って出力電圧信号を出力するように前記オペアンプを駆動する電源回路とを有することを特徴とする出力バッファ。
【請求項１４】
前記コントローラーは、前記入力電圧信号に従った参照信号がエネルギー節約条件を満たすか否かを判断し、かつ前記コントローラーは、前記参照信号がエネルギー節約条件を満たすとき、前記第１の副期間と前記第２の副期間の前記第１の制御信号と前記第２の制御信号をそれぞれ出力することを特徴とする請求項１３記載の出力バッファ。
【請求項１５】
前記参照信号は入力電圧信号に対応したデジタル電圧データであり、前記コントローラーは前記デジタル電圧データが閾値よりも低いとき、前記参照信号がエネルギー節約条件を満たすものと判断することを特徴とする請求項１４記載の出力バッファ。
【請求項１６】
前記コントローラーは、前記デジタル電圧データの最上位ビット（ＭＳＢ）の値によって前記デジタル電圧データが閾値よりも低いか否かを判断することを特徴とする請求項１５記載の出力バッファ。
【請求項１７】
前記参照信号は前記入力電圧信号に対応したアナログ電圧信号であり、前記コントローラーは前記アナログ電圧信号のレベルが閾値電圧よりも低いとき、前記参照信号が前記エネルギー節約条件を満たすものと判断することを特徴とする請求項１４記載の出力バッファ。
【請求項１８】
前記コントローラーは前記入力電圧信号に従った参照信号がエネルギー節約条件を満たすか否かを判断し、かつ前記コントローラーは、前記参照信号がエネルギー節約条件を満たさない場合に前記第１の副期間と前記第２の副期間における前記第１の制御信号と前記第２の制御信号をそれぞれ出力し、
前記電源回路は、第３の電圧信号と第４の電圧信号を前記第１の副期間と前記第２の副期間に第１の制御信号と第２の制御信号に応じてそれぞれ出力して、前記オペアンプが前記入力電圧信号に従って前記出力電圧信号を出力するようにオペアンプを駆動することを特徴とする請求項１３記載の出力バッファ。
【請求項１９】
液晶表示パネルを駆動する複数の画素電圧信号を提供するソースドライバーであって、
複数の部分の入力画素データをそれぞれ格納する複数の線形バッファユニットを有した線形バッファと、
複数の部分の入力画素データを複数のアナログ電圧信号に変換する、それぞれ各線形バッファユニットに対応した複数のＤ／Ａ変換ユニットを有するデジタル・アナログ（Ｄ／Ａ）変換器と、
複数の出力バッファとを有し、
前記各出力バッファは、
各アナログ電圧信号に従った画素電圧信号を提供するオペアンプと、
前記各アナログ電圧信号に対応する参照信号がエネルギー節約条件を満たすか否かを判断するコントローラーであって、前記参照信号がエネルギー節約条件を満たす場合にエネルギー節約作動イベントを開始させ、前記参照信号がエネルギー節約条件を満たさない場合に通常作動イベントを開始させるコントローラーと、
前記エネルギー節約作動イベントに応じてエネルギー節約電源信号を提供してオペアンプが前記各アナログ電圧信号に従ってそれぞれ画素電圧信号を出力するようにオペアンプを駆動する電源回路であって、該電源回路は、前記通常作動イベントに応じて通常電源信号を提供してオペアンプが前記各アナログ電圧信号に従ってそれぞれ画素電圧信号を出力するようにオペアンプを駆動し、さらに通常電源信号のレベルはエネルギー節約電源信号のレベルよりは高くなる電源回路と
を有することを特徴とするソースドライバー。
【請求項２０】
前記参照信号が入力画素データに対応し、前記コントローラーは前記入力画素データが閾値よりも低いとき、前記参照信号がエネルギー節約条件を満たすものと判断し、前記入力画素データが前記閾値以上のとき、前記参照信号がエネルギー節約条件を満たさないものと判断することを特徴とする請求項１９記載のソースドライバー。
【請求項２１】
前記コントローラーは、前記デジタル電圧データの最上位ビット（ＭＳＢ）の値によって前記デジタル電圧データが閾値よりも低いか否かを判断することを特徴とする請求項２０記載のソースドライバー。
【請求項２２】
前記参照信号はアナログ電圧信号に対応し、前記コントローラーは前記アナログ電圧信号のレベルが閾値電圧よりも低いとき、前記参照信号が前記エネルギー節約条件を満たすものと判断することを特徴とする請求項１９記載のソースドライバー。
【請求項２３】
前記参照信号が前記エネルギー節約条件を満たすとき、前記コントローラーは作動期間中に第１の制御信号を出力して前記エネルギー節約作動イベントを開始させ、
前記第１の制御信号に制御される前記電源回路は第１の電圧信号を前記エネルギー節約電源信号として供給して、前記オペアンプが前記各アナログ電圧信号に従って前記各画素電圧信号を出力するように前記オペアンプを駆動することを特徴とする請求項１９記載のソースドライバー。
【請求項２４】
前記参照信号が前記エネルギー節約条件を満たさないとき、前記コントローラーは作動期間中に第２の制御信号を出力して前記通常作動イベントを開始させ、
前記第２の制御信号に制御される前記電源回路は第２の電圧信号を前記通常電源信号として供給して、前記オペアンプが前記各アナログ電圧信号に従って前記各画素電圧信号を出力するように前記オペアンプを駆動し、
前記第１の電圧信号のレベルは前記第２の電圧信号のレベルよりも低いことを特徴とする請求項２３記載のソースドライバー。
【請求項２５】
前記コントローラーは第１の位相制御信号と第２の位相制御信号に応じて作動期間を第１の副期間と第２の副期間に分割し、
前記参照信号が前記エネルギー節約条件を満たすとき、前記コントローラーは第１の制御信号と第２の制御信号を前記第１の副期間と前記第２の副期間にそれぞれ出力して前記エネルギー節約作動イベントを開始させ、
前記第１の制御信号および前記第２の制御信号に制御される前記電源回路は第１の電圧信号と第２の電圧信号を前記第１の副期間と前記第２の副期間にそれぞれ出力して、前記オペアンプが前記各アナログ電圧信号に従って前記各画素電圧信号を出力するようにオペアンプを駆動することを特徴とする請求項１９記載のソースドライバー。
【請求項２６】
前記コントローラーは第１の位相制御信号と第２の位相制御信号に応じて作動期間を第１の副期間と第２の副期間に分割し、
前記参照信号が前記エネルギー節約条件を満たさないとき、前記コントローラーは第３の制御信号と第４の制御信号を前記第１の副期間と前記第２の副期間にそれぞれ出力して前記通常作動イベントを開始させ、
前記第３の制御信号および前記第４の制御信号に制御される前記電源回路は第３の電圧信号と第４の電圧信号を前記第１の副期間と前記第２の副期間にそれぞれ出力して、前記オペアンプが前記各アナログ電圧信号に従って前記各画素電圧信号を出力するようにオペアンプを駆動することを特徴とする請求項１９記載のソースドライバー。
【請求項２７】
液晶表示パネルを駆動するｎ個の画素電圧信号を提供するソースドライバーであって、ｎは１よりも大きな自然数であり、
ｎ個の部分の入力画素データをそれぞれ格納するｎ個の線形バッファユニットを有した線形バッファと、
ｍ個の階調レベルに対応したｍ個の階調レベル画素電圧信号をそれぞれ提供するｍ個の出力バッファとを有し、ｍは１よりも大きな自然数であり、
前記出力バッファはそれぞれ、
対応する入力電圧信号に従った各階調レベル画素電圧信号を提供するオペアンプと、
前記入力電圧信号に対応する参照信号がエネルギー節約条件を満たすか否かを判断するコントローラーであって、前記参照信号がエネルギー節約条件を満たす場合にエネルギー節約作動イベントを開始させ、前記参照信号がエネルギー節約条件を満たさない場合に通常作動イベントを開始させるコントローラーと、
前記エネルギー節約作動イベントに応じてエネルギー節約電源信号を提供してオペアンプが前記入力電圧信号に従って階調レベル画素電圧信号を出力するようにオペアンプを駆動する電源回路であって、該電源回路は、前記通常作動イベントに応じて通常電源信号を提供してオペアンプが前記入力電圧信号に従って階調レベル画素電圧信号を出力するようにオペアンプを駆動し、さらに通常電源信号のレベルはエネルギー節約電源信号のレベルよりは高くなる電源回路と、
ｎ個の入力画素データに応じて出力されるｎ個の画素電圧信号として、ｍ個の階調レベル画素電圧信号から少なくとも１つの階調レベル画素電圧信号をそれぞれ選択するｎ個のＤ／Ａ変換ユニットからなるデジタル・アナログ（Ｄ／Ａ）変換器と
を有することを特徴とするソースドライバー。
【請求項２８】
前記参照信号が前記入力画素データに対応したデジタル電圧信号であり、前記コントローラーは前記デジタル電圧信号が閾値よりも低いとき、前記参照信号がエネルギー節約条件を満たすものと判断することを特徴とする請求項２７記載のソースドライバー。
【請求項２９】
前記コントローラーは、前記デジタル電圧データの最上位ビット（ＭＳＢ）の値によって前記デジタル電圧データが閾値よりも低いか否かを判断することを特徴とする請求項２８記載のソースドライバー。
【請求項３０】
前記参照信号は前記入力電圧信号に対応したアナログ電圧信号であり、前記コントローラーは前記アナログ電圧信号のレベルが閾値電圧よりも低いとき、前記参照信号が前記エネルギー節約条件を満たすものと判断し、前記アナログ電圧信号のレベルが閾値電圧以上のとき、前記参照信号が前記エネルギー節約条件を満たさないものと判断することを特徴とする請求項２７記載のソースドライバー。
【請求項３１】
前記参照信号が前記エネルギー節約条件を満たすとき、前記コントローラーは作動期間中に第１の制御信号を出力して前記エネルギー節約作動イベントを開始させ、
前記第１の制御信号に制御される前記電源回路は第１の電圧信号を前記エネルギー節約電源信号として供給して、前記オペアンプが対応する入力電圧信号に従って前記階調レベル画素電圧信号のそれぞれを出力するように前記オペアンプを駆動することを特徴とする請求項２７記載のソースドライバー。
【請求項３２】
前記参照信号が前記エネルギー節約条件を満たさないとき、前記コントローラーは作動期間中に第２の制御信号を出力して前記通常作動イベントを開始させ、
前記第２の制御信号に制御される前記電源回路は第２の電圧信号を前記通常電源信号として供給して、前記オペアンプが対応する入力電圧信号に従って前記階調レベル画素電圧信号のそれぞれを出力するように前記オペアンプを駆動し、
前記第１の電圧信号のレベルは前記第２の電圧信号のレベルよりも低いことを特徴とする請求項３１記載のソースドライバー。
【請求項３３】
前記コントローラーは第１の位相制御信号と第２の位相制御信号に応じて作動期間を第１の副期間と第２の副期間に分割し、
前記参照信号が前記エネルギー節約条件を満たすとき、前記コントローラーは第１の制御信号と第２の制御信号を前記第１の副期間と前記第２の副期間にそれぞれ出力して前記エネルギー節約作動イベントを開始させ、
前記第１の制御信号および前記第２の制御信号に制御される前記電源回路は第１の電圧信号と第２の電圧信号を前記第１の副期間と前記第２の副期間にそれぞれ出力して、前記オペアンプが対応する入力電圧信号に従って前記階調レベル画素電圧信号のそれぞれを出力するように前記オペアンプを駆動することを特徴とする請求項２７記載のソースドライバー。
【請求項３４】
前記コントローラーは第１の位相制御信号と第２の位相制御信号に応じて作動期間を第１の副期間と第２の副期間に分割し、
前記参照信号が前記エネルギー節約条件を満たさないとき、前記コントローラーは第３の制御信号と第４の制御信号を前記第１の副期間と前記第２の副期間にそれぞれ出力して前記通常作動イベントを開始させ、
前記第３の制御信号および前記第４の制御信号に制御される前記電源回路は第３の電圧信号と第４の電圧信号を前記第１の副期間と前記第２の副期間にそれぞれ出力して、前記オペアンプが対応する入力電圧信号に従って前記階調レベル画素電圧信号のそれぞれを出力するように前記オペアンプを駆動することを特徴とする請求項２７記載のソースドライバー。
【請求項３５】
作動期間に出力電圧信号を出力する出力バッファであって、
入力電圧信号に従った出力電圧信号を出力するオペアンプと、
前記オペアンプに接続され、参照信号に従って選択的に第１の電源信号と第２の電源信号を前記オペアンプに提供する電源回路とを有し、
前記参照信号は前記入力電圧信号に対応することを特徴とする出力バッファ。
【請求項３６】
前記作動期間中に前記参照信号によって示されるエネルギー節約条件に従って第１の制御信号を出力し、前記作動期間中に前記参照信号によって示される通常条件に従って第２の制御信号を出力するコントローラーを有し、
前記電源回路は前記第１の制御信号によって前記第１の電源電圧を提供し、前記第２の制御信号によって前記第２の電源電圧を提供して、前記オペアンプが入力電圧信号に従って出力電圧信号を出力するように前記オペアンプを駆動することを特徴とする請求項３５記載の出力バッファ。
【請求項３７】
第１の位相制御信号と第２の位相制御信号に応じて前記作動期間を第１の副期間と第２の副期間に分割し、前記参照信号によって示されるエネルギー節約条件に従って第１の制御信号と第２の制御信号を前記第１の副期間と前記第２の副期間にそれぞれ出力するコントローラーを有し、
前記第１の制御信号と前記第２の制御信号によって制御される前記電源回路は第１の電圧信号と第２の電圧信号を前記第１の副期間と前記第２の副期間にそれぞれ提供して、前記オペアンプが入力電圧信号に従って出力電圧信号を出力するように前記オペアンプを駆動することを特徴とする請求項３５記載の出力バッファ。
【請求項３８】
前記コントローラーは、前記参照信号によって示される通常条件に従って、前記第１の副期間と前記第２の副期間に第３の制御信号と第４の制御信号をそれぞれ出力し、
前記第３の制御信号と前記第４の制御信号によって制御される前記電源回路は第３の電圧信号と第４の電圧信号を前記第１の副期間と前記第２の副期間にそれぞれ提供して、前記オペアンプが入力電圧信号に従って出力電圧信号を出力するように前記オペアンプを駆動することを特徴とする請求項３７記載の出力バッファ。
【請求項３９】
液晶表示パネルを駆動する複数の画素電圧信号を提供するソースドライバーであって、
複数の部分の入力画素データをそれぞれ格納する複数の線形バッファユニットを有した線形バッファと、
複数の部分の入力画素データを複数のアナログ電圧信号に変換する、それぞれ各線形バッファユニットに対応した複数のＤ／Ａ変換ユニットを有するデジタル・アナログ（Ｄ／Ａ）変換器と、
複数の出力バッファとを有し、
前記各出力バッファは、
入力電圧信号に従った出力電圧信号を出力するオペアンプと、
前記オペアンプに接続され、参照信号に従って選択的に第１の電源信号または第２の電源信号を前記オペアンプに提供する電源回路とを有し、
前記参照信号は前記入力電圧信号に対応することを特徴とするソースドライバー。
【請求項４０】
前記作動期間中に前記参照信号によって示されるエネルギー節約条件に従って第１の制御信号を出力し、前記作動期間中に前記参照信号によって示される通常条件に従って第２の制御信号を出力するコントローラーを有し、
前記電源回路は前記第１の制御信号によって前記第１の電源電圧を提供し、前記第２の制御信号によって前記第２の電源電圧を提供して、前記オペアンプが入力電圧信号に従って出力電圧信号を出力するように前記オペアンプを駆動することを特徴とする請求項３９記載のソースドライバー。
【請求項４１】
第１の位相制御信号と第２の位相制御信号に応じて前記作動期間を第１の副期間と第２の副期間に分割し、前記参照信号によって示されるエネルギー節約条件に従って第１の制御信号と第２の制御信号を前記第１の副期間と前記第２の副期間にそれぞれ出力するコントローラーを有し、
前記第１の制御信号と前記第２の制御信号によって制御される前記電源回路は第１の電圧信号と第２の電圧信号を前記第１の副期間と前記第２の副期間にそれぞれ提供して、前記オペアンプが入力電圧信号に従って出力電圧信号を出力するように前記オペアンプを駆動することを特徴とする請求項３９記載のソースドライバー。
【請求項４２】
前記コントローラーは、前記参照信号によって示される通常条件に従って、前記第１の副期間と前記第２の副期間に第３の制御信号と第４の制御信号をそれぞれ出力し、
前記第３の制御信号と前記第４の制御信号によって制御される前記電源回路は第３の電圧信号と第４の電圧信号を前記第１の副期間と前記第２の副期間にそれぞれ提供して、前記オペアンプが入力電圧信号に従って出力電圧信号を出力するように前記オペアンプを駆動することを特徴とする請求項４１記載のソースドライバー。
【請求項４３】
液晶表示パネルを駆動するｎ個の画素電圧信号を提供するソースドライバーであって、ｎは１よりも大きな自然数であり、
ｎ個の部分の入力画素データをそれぞれ格納するｎ個の線形バッファユニットを有した線形バッファと、
ｍ個の階調レベルに対応したｍ個の階調レベル画素電圧信号をそれぞれ提供するｍ個の出力バッファであって、ｍは１よりも大きな自然数であり、入力電圧信号に従った出力電圧信号を出力するオペアンプと、前記オペアンプに接続され、参照信号に従って選択的に第１の電源信号または第２の電源信号を前記オペアンプに提供する電源回路とをそれぞれ有する出力バッファと、
さらにｎ個の入力画素データに応じて出力されるｎ個の画素電圧信号として、ｍ個の階調レベル画素電圧信号から少なくとも１つの階調レベル画素電圧信号をそれぞれ選択するｎ個のＤ／Ａ変換ユニットからなるデジタル・アナログ（Ｄ／Ａ）変換器とを有し、
前記参照信号は前記入力電源信号に対応することを特徴とするソースドライバー。
【請求項４４】
前記作動期間中に前記参照信号によって示されるエネルギー節約条件に従って第１の制御信号を出力し、前記作動期間中に前記参照信号によって示される通常条件に従って第２の制御信号を出力するコントローラーを有し、
前記電源回路は前記第１の制御信号によって前記第１の電源電圧を提供し、前記第２の制御信号によって前記第２の電源電圧を提供して、前記オペアンプが入力電圧信号に従って出力電圧信号を出力するように前記オペアンプを駆動することを特徴とする請求項４３記載のソースドライバー。
【請求項４５】
第１の位相制御信号と第２の位相制御信号に応じて前記作動期間を第１の副期間と第２の副期間に分割し、前記参照信号によって示されるエネルギー節約条件に従って第１の制御信号と第２の制御信号を前記第１の副期間と前記第２の副期間にそれぞれ出力するコントローラーを有し、
前記第１の制御信号と前記第２の制御信号によって制御される前記電源回路は第１の電圧信号と第２の電圧信号を前記第１の副期間と前記第２の副期間にそれぞれ提供して、前記オペアンプが入力電圧信号に従って出力電圧信号を出力するように前記オペアンプを駆動することを特徴とする請求項４３記載のソースドライバー。
【請求項４６】
前記コントローラーは、前記参照信号によって示される通常条件に従って、前記第１の副期間と前記第２の副期間に第３の制御信号と第４の制御信号をそれぞれ出力し、
前記第３の制御信号と前記第４の制御信号によって制御される前記電源回路は第３の電圧信号と第４の電圧信号を前記第１の副期間と前記第２の副期間にそれぞれ提供して、前記オペアンプが入力電圧信号に従って出力電圧信号を出力するように前記オペアンプを駆動することを特徴とする請求項４５記載のソースドライバー。
【請求項４７】
作動期間に出力電圧信号を出力する出力バッファであって、
入力電圧信号に従った出力電圧信号を出力するオペアンプと、
前記オペアンプに接続され、入力電圧信号に従って選択的に第１の電源信号または第２の電源信号を前記オペアンプに提供する電源回路とを有することを特徴とする出力バッファ。
【請求項４８】
前記作動期間中に前記入力電圧信号によって示されるエネルギー節約条件に従って第１の制御信号を出力し、前記作動期間中に前記入力電圧信号によって示される通常条件に従って第２の制御信号を出力するコントローラーを有し、
前記電源回路は前記第１の制御信号によって前記第１の電源電圧を提供し、前記第２の制御信号によって前記第２の電源電圧を提供して、前記オペアンプが前記入力電圧信号に従って出力電圧信号を出力するように前記オペアンプを駆動することを特徴とする請求項４７記載の出力バッファ。
【請求項４９】
第１の位相制御信号と第２の位相制御信号に応じて前記作動期間を第１の副期間と第２の副期間に分割し、前記入力電圧信号によって示されるエネルギー節約条件に従って第１の制御信号と第２の制御信号を前記第１の副期間と前記第２の副期間にそれぞれ出力するコントローラーを有し、
前記第１の制御信号と前記第２の制御信号によって制御される前記電源回路は第１の電圧信号と第２の電圧信号を前記第１の副期間と前記第２の副期間にそれぞれ提供して、前記オペアンプが前記入力電圧信号に従って出力電圧信号を出力するように前記オペアンプを駆動することを特徴とする請求項４７記載の出力バッファ。
【請求項５０】
前記コントローラーは、前記入力電圧信号によって示される通常条件に従って、前記第１の副期間と前記第２の副期間に第３の制御信号と第４の制御信号をそれぞれ出力し、
前記第３の制御信号と前記第４の制御信号によって制御される前記電源回路は第３の電圧信号と第４の電圧信号を前記第１の副期間と前記第２の副期間にそれぞれ提供して、前記オペアンプが前記入力電圧信号に従って出力電圧信号を出力するように前記オペアンプを駆動することを特徴とする請求項４９記載の出力バッファ。
【請求項５１】
液晶表示パネルを駆動する複数の画素電圧信号を提供するソースドライバーであって、
複数の部分の入力画素データをそれぞれ格納する複数の線形バッファユニットを有した線形バッファと、
複数の部分の入力画素データを複数のアナログ電圧信号に変換する、それぞれ各線形バッファユニットに対応した複数のＤ／Ａ変換ユニットを有するデジタル・アナログ（Ｄ／Ａ）変換器と、
複数の出力バッファとを有し、
前記各出力バッファは、
入力電圧信号に従った出力電圧信号を出力するオペアンプと、
前記オペアンプに接続され、前記入力電圧信号に従って選択的に第１の電源信号または第２の電源信号を前記オペアンプに提供する電源回路とを有することを特徴とするソースドライバー。
【請求項５２】
前記作動期間中に前記入力電圧信号によって示されるエネルギー節約条件に従って第１の制御信号を出力し、前記作動期間中に前記入力電圧信号によって示される通常条件に従って第２の制御信号を出力するコントローラーを有し、
前記電源回路は前記第１の制御信号に制御されて前記第１の電源電圧を提供し、前記第２の制御信号に制御されて前記第２の電源電圧を提供し、前記オペアンプが入力電圧信号に従って出力電圧信号を出力するように前記オペアンプを駆動することを特徴とする請求項５１記載のソースドライバー。
【請求項５３】
第１の位相制御信号と第２の位相制御信号に応じて前記作動期間を第１の副期間と第２の副期間に分割し、前記入力電圧信号によって示されるエネルギー節約条件に従って第１の制御信号と第２の制御信号を前記第１の副期間と前記第２の副期間にそれぞれ出力するコントローラーを有し、
前記第１の制御信号と前記第２の制御信号によって制御される前記電源回路は第１の電圧信号と第２の電圧信号を前記第１の副期間と前記第２の副期間にそれぞれ提供して、前記オペアンプが前記入力電圧信号に従って出力電圧信号を出力するように前記オペアンプを駆動することを特徴とする請求項５１記載のソースドライバー。
【請求項５４】
前記コントローラーは、前記入力電圧信号によって示される通常条件に従って、前記第１の副期間と前記第２の副期間に第３の制御信号と第４の制御信号をそれぞれ出力し、
前記第３の制御信号と前記第４の制御信号によって制御される前記電源回路は第３の電圧信号と第４の電圧信号を前記第１の副期間と前記第２の副期間にそれぞれ提供して、前記オペアンプが前記入力電圧信号に従って出力電圧信号を出力するように前記オペアンプを駆動することを特徴とする請求項５３記載のソースドライバー。
【請求項５５】
液晶表示パネルを駆動するｎ個の画素電圧信号を提供するソースドライバーであって、ｎは１よりも大きな自然数であり、
ｎ個の部分の入力画素データをそれぞれ格納するｎ個の線形バッファユニットを有した線形バッファと、
ｍ個の階調レベルに対応したｍ個の階調レベル画素電圧信号をそれぞれ提供するｍ個の出力バッファであって、ｍは１よりも大きな自然数であり、入力電圧信号に従った出力電圧信号を出力するオペアンプと、前記オペアンプに接続され、前記入力電力信号に従って選択的に第１の電源信号または第２の電源信号を前記オペアンプに提供する電源回路とをそれぞれ有する出力バッファと、
さらにｎ個の入力画素データに応じて出力されるｎ個の画素電圧信号として、ｍ個の階調レベル画素電圧信号から少なくとも１つの階調レベル画素電圧信号をそれぞれ選択するｎ個のＤ／Ａ変換ユニットからなるデジタル・アナログ（Ｄ／Ａ）変換器とを有することを特徴とするソースドライバー。
【請求項５６】
前記作動期間中に前記入力電圧信号によって示されるエネルギー節約条件に従って第１の制御信号を出力し、前記作動期間中に前記入力電圧信号によって示される通常条件に従って第２の制御信号を出力するコントローラーを有し、
前記電源回路は前記第１の制御信号に制御されて前記第１の電源電圧を提供し、前記第２の制御信号に制御されて前記第２の電源電圧を提供し、前記オペアンプが前記入力電圧信号に従って出力電圧信号を出力するように前記オペアンプを駆動することを特徴とする請求項５５記載のソースドライバー。
【請求項５７】
第１の位相制御信号と第２の位相制御信号に応じて前記作動期間を第１の副期間と第２の副期間に分割し、前記入力電圧信号によって示されるエネルギー節約条件に従って第１の制御信号と第２の制御信号を前記第１の副期間と前記第２の副期間にそれぞれ出力するコントローラーを有し、
前記第１の制御信号と前記第２の制御信号によって制御される前記電源回路は第１の電圧信号と第２の電圧信号を前記第１の副期間と前記第２の副期間にそれぞれ提供して、前記オペアンプが前記入力電圧信号に従って出力電圧信号を出力するように前記オペアンプを駆動することを特徴とする請求項５５記載のソースドライバー。
【請求項５８】
前記コントローラーは、前記入力電圧信号によって示される通常条件に従って、前記第１の副期間と前記第２の副期間に第３の制御信号と第４の制御信号をそれぞれ出力し、
前記第３の制御信号と前記第４の制御信号によって制御される前記電源回路は第３の電圧信号と第４の電圧信号を前記第１の副期間と前記第２の副期間にそれぞれ提供して、前記オペアンプが前記入力電圧信号に従って出力電圧信号を出力するように前記オペアンプを駆動することを特徴とする請求項５７記載のソースドライバー。
【発明の詳細な説明】
【技術分野】
【０００１】
本発明は一般的に出力バッファに関し、特にその動作パワーロスを選択的に調整できる出力バッファに関する。本願は、２００９年１月２３日に出願された台湾出願第９８１０２９６８号による利益を享受するものであり、その発明すべき対象が、ここに言及することで組み込まれるものである。
【背景技術】
【０００２】
一般的に言って、出力バッファは出力電圧信号の駆動能力を向上させ、続く負荷を効率良く駆動するための出力段回路として応用されている。
【０００３】
例えば、文献１に示されるように、今日の液晶ディスプレイのソースドライバーには、多くの出力バッファが画素データの多チャンネルに従ってＬＣＤパネル上の複数のデータ線を駆動するのに配設され、出力されるべき画素電圧信号の駆動能力が増大され、液晶表示パネルの画素を駆動することができる。
【先行技術文献】
【特許文献】
【０００４】
【特許文献１】米国特許第７１８４０１６号
【発明の概要】
【発明が解決しようとする課題】
【０００５】
しかしながら、出力バッファは出力電圧信号の駆動能力を増強する必要があることから、高エネルギーパワー信号は典型的には充分な駆動能力を有する出力バッファに供給される。
ある種の作動条件においては、低い出力レベルの出力電圧信号を出力したり、低負荷な負荷回路を駆動したりする様に出力バッファが設けられている。これらの例では、出力バッファを駆動するための電源信号中のエネルギーの殆どが出力バッファ自体で消費され、エネルギーの僅かな部分だけが出力電圧信号の駆動能力の増大に用いられる。よって、従来の出力バッファは高いエネルギー消費と低い電気エネルギー使用効率という欠点を有している。
【課題を解決するための手段】
【０００６】
本発明は、入力電圧信号に応じた参照信号に従って高いエネルギーまたは低いエネルギーを伴う電源信号を選択的に選び、出力バッファがよりエネルギーを節約する方法で入力電圧信号に従った出力電圧信号を生成することができるように電源信号を当該出力バッファに入力するように構成されている。このため、従来の出力バッファと比べると、本発明の出力バッファは低消費電力であり、高エネルギー使用効率であるという利点を有する。
【０００７】
本発明の第１の観点によれば、出力電圧信号を提供する出力バッファが設けられる。出力バッファは、オペアンプ、コントローラー、及び電源回路を有する。オペアンプは、入力電圧信号に従った出力電圧信号を提供する。コントローラーは入力電圧信号に応じた参照信号がエネルギー節約条件を満たすか否かを判断する。コントローラーは、参照信号がエネルギー節約条件を満たすとき、エネルギー節約動作イベントを開始させ、参照信号がエネルギー節約条件を満たさないとき、通常の動作イベントを開始させる。電源回路は、オペアンプが入力電圧信号に応じて出力電圧信号を供給するところのエネルギー節約動作イベントに対応してオペアンプを駆動するエネルギー節約電源信号を供給する。電源回路は、さらにオペアンプが入力電圧信号に応じて出力電圧信号を供給するところの通常動作イベントに対応してオペアンプを駆動する通常電源信号を供給する。通常電源信号のレベルはエネルギー節約電源信号のレベルよりも高い。
【０００８】
本発明の第２の観点によれば、出力電圧信号を提供する出力バッファが設けられる。出力バッファは、オペアンプ、コントローラー、及び第１、第２の電源回路を有する。オペアンプは、入力電圧信号に従った出力電圧信号を提供する。コントローラーは入力電圧信号に応じた参照信号がエネルギー節約条件を満たすか否かを判断する。コントローラーは、参照信号がエネルギー節約条件を満たすとき、第１の制御信号を供給し、参照信号がエネルギー節約条件を満たさないとき、第２の制御信号を供給する。第１の電源回路は第１の制御信号に制御されて、オペアンプが入力電圧信号に応じて出力電圧信号を供給するところのオペアンプを駆動する第１の電圧信号を提供するようにスイッチオンとされる。第２の電源回路は第２の制御信号に制御されて、オペアンプが入力電圧信号に応じて出力電圧信号を供給するところのオペアンプを駆動する第２の電圧信号を提供するようにスイッチオンとされる。第２の電圧信号のレベルは第１の電圧信号のレベルよりも高い。
【０００９】
本発明の第３の観点によれば、作動期間において出力電圧信号を提供する出力バッファが設けられる。出力バッファは、オペアンプ、コントローラー、及び電源回路を有する。オペアンプは、入力電圧信号に従った出力電圧信号を提供する。コントローラーは、前記作動期間を第１及び第２の位相制御信号に応じて第１及び第２の副期間に分割する。コントローラーは、さらに入力電圧信号に応じた参照信号がエネルギー節約条件を満たすか否かを判断する。コントローラーは、参照信号がエネルギー節約条件を満たすとき、第１及び第２の制御信号を第１及び第２の副期間にそれぞれ出力する。電源回路は、第１の電圧信号と第２の電圧信号を第１及び第２の副期間における第１及び第２の制御信号に応じてそれぞれ提供して、オペアンプが入力電圧信号に応じて出力電圧信号を供給するようにオペアンプを駆動する。
【００１０】
本発明の第４の観点によれば、液晶表示パネルを駆動するための複数の画素電圧信号を提供するソースドライバーが設けられる。ソースドライバーは、線形バッファ、デジタル−アナログ（Ｄ／Ａ）変換器、及び複数の出力バッファを有する。線形バッファは入力画素データの複数の部分をそれぞれ格納する複数の線形バッファユニットを有する。デジタル−アナログ（Ｄ／Ａ）変換器は、それぞれ線形バッファユニットに対応し、入力画素データの部分を複数のアナログ電圧信号に変換する複数のデジタル−アナログ変換ユニットを有する。各出力バッファは、オペアンプ、コントローラー、及び電源回路を有する。オペアンプは、各アナログ電圧信号に従った画素電圧信号のそれぞれを提供する。コントローラーは、各アナログ電圧信号に応じた参照信号がエネルギー節約条件を満たすか否かを判断する。コントローラーは、参照信号がエネルギー節約条件を満たすとき、エネルギー節約作動イベントを開始させ、参照信号がエネルギー節約条件を満たさないとき、通常作動イベントを開始させる。電源回路は、エネルギー節約作動イベントに応じてエネルギー節約電源信号を提供して、オペアンプが各アナログ電圧信号に従った各画素電圧信号を提供するようにオペアンプを駆動する。さらに、電源回路は、通常作動イベントに応じて通常電源信号を提供して、オペアンプが各アナログ電圧信号に従った各画素電圧信号を提供するようにオペアンプを駆動する。通常電源信号のレベルは、エネルギー節約電源信号のレベルよりは高いものとされる。
【００１１】
本発明の第５の観点によれば、液晶表示パネルを駆動するためのｎ個の画素電圧信号を提供するソースドライバーが設けられ、ｎは１よりも大きな自然数である。ソースドライバーは、線形バッファ、デジタル−アナログ変換器、及びｍ個の出力バッファを有し、ｍは１よりも大きな自然数である。線形バッファは入力画素データのｎ個の部分をそれぞれ格納するｎ個の線形バッファユニットを有する。ｍ個の出力バッファは、ｍ段階の階調レベルに応じたｍ階調レベル画素電圧信号をそれぞれ提供する。ｍ個の出力バッファのそれぞれは、オペアンプ、コントローラー、及び電源回路を有する。オペアンプは、対応する入力電圧信号に従った階調画素電圧信号のそれぞれを提供する。コントローラーは、入力電圧信号に応じた参照信号がエネルギー節約条件を満たすか否かを判断する。コントローラーは、参照信号がエネルギー節約条件を満たすとき、エネルギー節約作動イベントを開始させ、参照信号がエネルギー節約条件を満たさないとき、通常作動イベントを開始させる。電源回路は、エネルギー節約作動イベントに応じてエネルギー節約電源信号を提供して、オペアンプが入力電圧信号に従った階調画素電圧信号を提供するようにオペアンプを駆動する。さらに、電源回路は、通常作動イベントに応じて通常電源信号を提供して、オペアンプが入力電圧信号に従った各階調画素電圧信号を提供するようにオペアンプを駆動する。通常電源信号のレベルは、エネルギー節約電源信号のレベルよりは高いものとされる。デジタル−アナログ（Ｄ／Ａ）変換器は、ｎ部分の入力画素データに応じて出力されるｎ個の画素電圧信号として、ｍ階調の画素電圧信号から少なくとも１つの階調画素電圧信号をそれぞれ選択するためのｎ個のＤ／Ａ変換ユニットを有する。
【００１２】
本発明は次のより好ましいが限定的ではない実施形態についての詳細な説明により明らかとされるものである。下記の説明は、添付図面への参照を伴っている。
【図面の簡単な説明】
【００１３】
【図１】本発明の第１の実施形態による出力バッファを示すブロック図である。
【００１４】
【図２】本発明の前記実施形態による出力バッファ内のデジタル・アナログ変換器を示す模式図である。
【００１５】
【図３】本発明の前記実施形態による出力バッファを示す詳細なブロック図である。
【００１６】
【図４】入力電圧信号Ｓｖｉと参照信号Ｓｒｆの間の関係を示すグラフである。
【００１７】
【図５】本発明の第１の実施形態による出力バッファを示す他のブロック図である。
【００１８】
【図６】本発明の第２の実施形態による出力バッファを示すブロック図である。
【００１９】
【図７】作動期間ＴＰと副期間ＴＰ＿ｓ１及びＴＰ＿ｓ２を示す模式図である。
【００２０】
【図８】本発明の実施形態による出力バッファのソースドライバーを示すブロック図である。
【００２１】
【図９】本発明の実施形態による出力バッファのソースドライバーを示す他のブロック図である。
【発明を実施するための形態】
【００２２】
本実施形態の出力バッファは、選択的に駆動され、その入力電圧信号に対応した参照信号に従って、低いエネルギー強度を伴った電源信号を用いて電圧信号を出力する動作を行う。
［第１の実施形態］
【００２３】
本実施形態の出力バッファは、入力電圧信号に応じた参照信号に従う、エネルギー節約電源信号と通常電源信号の１つを出力バッファの電源信号として選択的に適応させる。図１は本発明の第１の実施形態による出力バッファを示すブロック図である。図１によれば、出力バッファ１は、図示しない負荷回路を駆動するため、入力電圧信号Ｓｖｉに応じた出力電圧信号Ｓｖｏを提供する。出力バッファ１は、オペアンプＯＰ、コントローラーＣＴ、及び電源回路ＰＣを有する。オペアンプＯＰは、入力電圧信号Ｓｖｉを受信し、応答して出力電圧信号Ｓｖｏを提供する。
【００２４】
コントローラーＣＴは入力電圧信号Ｓｖｉに応じた参照信号Ｓｒｆがエネルギー節約条件を満たすか否かを判断する。例えば、参照信号Ｓｒｆは入力電圧信号Ｓｖｉに応じたデジタル電圧データでも良い。一例によれば、参照信号Ｓｒｆは６ビットのデジタル電圧信号であり、入力電圧信号Ｓｖｉは、図２に示すようにデジタル・アナログ変換器ＤＡＣが参照信号Ｓｒｆを変換した後に得られる。
【００２５】
コントローラーＣＴは、参照信号Ｓｒｆに応じたデータ値が参照信号閾値より小さいとき、参照信号Ｓｒｆがエネルギー節約条件を満たすものと判断し、参照信号Ｓｒｆに応じたデータ値が参照信号閾値と同じもしくはより大きいとき、参照信号Ｓｒｆがエネルギー節約条件を満たさないと判断する。
【００２６】
参照信号Ｓｒｆがエネルギー節約条件を満たすとき、オペアンプＯＰは高い電源電圧を供給する必要はない。すなわち、エネルギー節約作動イベントＥｖｓに応じてオペアンプＯＰを駆動するエネルギー節約電源信号Ｓｐｓを電源回路ＰＣが供給するように、コントローラーＣＴはエネルギー節約作動イベントＥｖｓを開始させ、オペアンプＯＰは出力電圧信号Ｓｖｏを提供して、入力電圧信号Ｓｖｉに応じて負荷回路を駆動する。
【００２７】
参照信号Ｓｒｆがエネルギー節約条件を満たさないとき、通常作動イベントＥｖｎに応じてオペアンプＯＰを駆動する通常電源信号Ｓｐｎを電源回路ＰＣが供給するように、コントローラーＣＴは通常作動イベントＥｖｎを開始させ、オペアンプＯＰは出力電圧信号Ｓｖｏを提供して、入力電圧信号Ｓｖｉに応じて負荷回路を駆動する。通常電源信号Ｓｐｎの応答レベルは、エネルギー節約電源信号Ｓｐｓのそれよりも高い。
【００２８】
図３は本発明の前記実施形態による出力バッファを示す詳細なブロック図である。コントローラーＣＴ１は、参照信号Ｓｒｆの最上位ビットＭＳＢ［ｓｒｆ］を受信するインバーターＩｎｖを有し、参照信号閾値は３２（すなわち、２進法で（１０００００））である。最上位ビットＭＳＢ［ｓｒｆ］が値ゼロのとき、参照信号Ｓｒｆの信号値は値３２（すなわち、参照信号閾値）よりも小さいことを表す。このとき、コントローラーＣＴは、有効化状態の制御信号Ｓｃ１を提供し、エネルギー節約作動イベントＥｖｓを開始させる。最上位ビットＭＳＢ［ｓｒｆ］が値１のとき、参照信号Ｓｒｆの信号値は値３２（すなわち、参照信号閾値）以上であることを表す。このとき、コントローラーＣＴは、有効化状態の制御信号Ｓｃ２を提供し、通常作動イベントＥｖｎを開始させる。
【００２９】
電源回路ＰＣ１は、エネルギー節約電源信号Ｓｐｓと通常電源信号Ｓｐｎをそれぞれ入力する第１の端子を有し、オペアンプＯＰ１に接続された第２の端子を有した電源スイッチＳＷ１、ＳＷ２を有する。エネルギー節約作動イベントＥｖｓが開始されたとき、有効化状態の制御信号Ｓｃ１に制御された電源スイッチＳＷ１は、オンとなり、オペアンプＯＰ１にエネルギー節約電源信号Ｓｐｓを供給し、非有効化状態の制御信号Ｓｃ２に制御される電源スイッチＳＷ２はオフとされる。よって、オペアンプＯＰ１は低レベルの電源信号Ｓｐｓを受けて、入力電圧信号Ｓｖｉに従った次段の負荷回路に対するより高い駆動能力を以て出力電圧信号Ｓｖｏを出力する。
【００３０】
一方、通常作動イベントＥｖｎが開始されたとき、有効化状態の制御信号Ｓｃ２に制御された電源スイッチＳＷ２は、オンとなり、オペアンプＯＰ１に通常電源信号Ｓｐｎを供給し、非有効化状態の制御信号Ｓｃ１に制御される電源スイッチＳＷ１はオフとされる。これにより、オペアンプＯＰ１は高レベルの電源信号Ｓｐｎを受けて、入力電圧信号Ｓｖｉに従った次段の負荷回路に対するより高い駆動能力を以て出力電圧信号Ｓｖｏを出力する。
【００３１】
図４は入力電圧信号Ｓｖｉと参照信号Ｓｒｆの間の関係を示すグラフである。例えば、図４に示すように、入力電圧信号Ｓｖｉと参照信号Ｓｒｆは線形の関係を有する。一例によれば、参照信号Ｓｒｆに応じた信号値が３２以上のとき、電源回路ＰＣ１は６ボルトの電圧レベルの通常電源信号Ｓｐｎを供給して、オペアンプＯＰ１を駆動する。参照信号Ｓｒｆに応じた信号値が３２より小さいとき、電源回路ＰＣ１は３ボルトの電圧レベルのエネルギー節約電源信号Ｓｐｓを供給して、オペアンプＯＰ１を駆動する。
【００３２】
ここで示した実施形態において、コントローラーＣＴは参照信号Ｓｒｆに従って１つのエネルギー節約条件が満たされているか否かを判断し、それで２つの異なる作動イベント（エネルギー節約作動イベントＥｖｓおよび通常作動イベントＥｖｎ）を開始する。しかしながら、本実施形態のコントローラーＣＴはこれに限定されるものではない。他の例においては、コントローラーは参照信号Ｓｒｆに従って２つまたはそれ以上のエネルギー節約条件が満たされているか否かも判断でき、それで３つまたはそれ以上の作動イベントを開始するようにしても良い。本実施形態の電源回路では、当該電源回路を駆動し、異なる電源強さに応じて、コントローラーによって開始される３つまたはそれ以上の作動イベントに応じた３つまたはそれ以上の電源信号をオペアンプに供給しても良い。対応する変形例もまた本発明の範囲内であると見做される。
【００３３】
ここで示した実施形態においては、コントローラーＣＴ１は、参照信号Ｓｒｆの最上位ビットＭＳＢ［Ｓｒｆ］に従ってインバーターＩｎｖにより、エネルギー節約作動イベントＥｖｓおよび通常作動イベントＥｖｎを開始するように作動する。しかしながら、本実施形態のコントローラーＣＴ１はこれに限定されるものではない。他の例においては、コントローラーは入力されたプログラムコードに応じて他の論理作動を行うプログラム可能な論理回路を有するものとすることができ、参照信号Ｓｒｆに応じてエネルギー節約作動イベントＥｖｓおよび通常作動イベントＥｖｎを開始させるものとすることができる。
【００３４】
本実施形態では、本発明は参照信号Ｓｒｆをエネルギー節約作動イベントＥｖｓおよび通常作動イベントＥｖｎを開始させる基礎として活用するとした。しかしながら、本発明はこれに限定されるものではない。他の実施形態では、本発明は入力電圧信号Ｓｖｉと関連した他の信号を用いるものとすることができ、入力電圧信号Ｓｖｉに対応したアナログ電圧信号を用いても良い。
【００３５】
例えば、本発明は入力電圧信号Ｓｖｉを直接参照信号Ｓｒｆとして活用しても良い。すなわち、コントローラーＣＴ２は、図５に示すように、入力電圧信号Ｓｖｉに従ってエネルギー節約作動イベントＥｖｓおよび通常作動イベントＥｖｎを直接開始させることができる。コントローラーＣＴ２は、例えば、参照信号（すなわち、入力電圧信号Ｓｖｉ）のレベルがアナログ電圧比較動作を介して閾値電圧信号のレベルよりも高いか否かを判断する比較器を有していても良い。参照信号のレベルが閾値電圧信号Ｓｖｔのレベルよりも低いとき、コントローラーＣＴ２は参照信号がエネルギー節約条件を満たすものと判断し、電源回路ＰＣ２が低いレベルの電源ＳｐｓをオペアンプＯＰに供給するエネルギー節約作動イベントを開始する。参照信号のレベルが閾値電圧信号Ｓｖｔのレベル以上のとき、コントローラーＣＴ２は参照信号がエネルギー節約条件を満たさないものと判断し、電源回路ＰＣ２が高いレベルの電源ＳｐｎをオペアンプＯＰに供給する通常作動イベントを開始する。
【００３６】
ここで示した実施形態においては、参照信号Ｓｒｆと入力電圧信号Ｓｖｉは線形な関係を有している。しかしながら、本実施形態の参照信号Ｓｒｆと入力電圧信号Ｓｖｉはこれらに限定されるものではない。他の例においては、参照信号Ｓｒｆと入力電圧信号Ｓｖｉは他の数学的な関係を以て関連していても良く、あるいは回路設計者はそれらの間の関係を選ぶことができる。このような対応する変形例もまた本発明の範囲内であると見做される。
【００３７】
ここで示した実施形態においては、エネルギー節約電源信号Ｓｐｓと通常電源信号Ｓｐｎはそれぞれ３Ｖと６Ｖの電圧レベルを有する。しかしながら、本実施形態のエネルギー節約電源信号Ｓｐｓと通常電源信号Ｓｐｎはこれらに限定されるものではない。他の例においては、エネルギー節約電源信号Ｓｐｓと通常電源信号Ｓｐｎのレベルは、入力電圧信号Ｓｖｉのレベル、入力電圧信号Ｓｖｉのレベルと参照信号Ｓｒｆのレベルの間の関係、負荷回路のごとき実際の回路の応用に応じて柔軟に調整されるものとすることができる。
【００３８】
本実施形態の出力バッファは、入力電圧信号に対応した参照信号に応じて、エネルギー節約電源信号Ｓｐｓと通常電源信号Ｓｐｎのうちの１つを出力バッファの電源信号として選択的に適応する。このため、本実施形態の出力バッファは、入力電圧信号に対応し参照信号に従って高いエネルギーに対応したエネルギー信号と低いエネルギーに対応したエネルギー信号のうちの１つを選択的に選んで、入力電圧信号に対応した出力電圧信号を生成する動作を行う。結果として、従来の出力バッファと比較すると、本発明の出力バッファは消費電力が低く、電気エネルギー使用効率の良いという利点を有している。
第２の実施形態
【００３９】
本実施形態の出力バッファのコントローラーは、第１の位相制御信号と第２の位相制御信号によって制御され、動作期間を第１の副期間と第２の副期間に分割し、時分割多重方式により出力バッファのオペアンプを駆動する。図６は本発明の第２の実施形態による出力バッファ３を示すブロック図である。本実施形態の出力バッファ３と第１の実施形態の出力バッファの違いは、コントローラー３が位相制御信号Ｓｐｈ１，Ｓｐｈ２を受信し、出力バッファ３が入力電圧信号Ｓｖｉと出力電圧信号Ｓｖｏに従って作動するところにより、作動期間ＴＰを図７に示すように副期間ＴＰ＿ｓ１、ＴＰ＿ｓ２に分割する。
【００４０】
一例によれば、電源回路ＰＣ３は電源スイッチＳＷ１'、ＳＷ２'を有する。参照信号Ｓｒｆがエネルギー節約条件を満たすとき、コントローラーＣＴ２は副期間ＴＰ＿ｓ１、ＴＰ＿ｓ２に制御信号Ｓｃ１'、Ｓｃ２'をそれぞれ出力してエネルギー節約作動イベントを開始させる。制御信号Ｓｃ１'は、副期間ＴＰ＿ｓ１内で電源スイッチＳＷ１'をオン状態とし、エネルギー節約電源信号Ｓｐｓ１を提供して、オペアンプＯＰ３を駆動する。制御信号Ｓｃ２'は、副期間ＴＰ＿ｓ２内で電源スイッチＳＷ２'をオン状態とし、エネルギー節約電源信号Ｓｐｓ２を提供して、オペアンプＯＰ３を駆動する。よって、オペアンプＯＰ３は時分割多重方式で駆動される。
【００４１】
例えば、エネルギー節約電源信号Ｓｐｓ１の電圧レベルが出力電圧信号Ｓｖｏにより到達されるレベルより低く、エネルギー節約電源信号Ｓｐｓ２の電圧レベルが出力電圧信号Ｓｖｏにより到達されるレベル以上とされる。このように、オペアンプＯＰ３は低いレベルの電源信号Ｓｐｓ１によって駆動され、低い駆動能力を提供して負荷回路を予め充電する。その後、高いレベルの電源信号Ｓｐｓ２はオペアンプＯＰ３を駆動するように適用され、より高い駆動能力を配して負荷回路を駆動する。このように出力バッファ３による負荷回路への充電速度は速くなる。さらに、低い電源信号が副期間ＴＰ＿ｓ１内でオペアンプＯＰ３を駆動するため、オペアンプＯＰ３の電力消費は全体として小さくなる。
【００４２】
一例によれば、電源回路ＰＣ３はさらに電源スイッチＳＷ３，ＳＷ４を有する。参照信号Ｓｒｆがエネルギー節約条件を満たすときの動作と同様に、参照信号Ｓｒｆがエネルギー節約条件を満たさないとき、コントローラーＣＴ２はそれぞれ副期間ＴＰ＿ｓ１、ＴＰ＿ｓ２に制御信号Ｓｃ３、Ｓｃ４を出力して通常作動イベントを開始する。制御信号Ｓｃ３は副期間ＴＰ＿ｓ１に電源スイッチＳＷ３をオンにして、通常電源信号Ｓｐｎ１を供給してオペアンプＯＰ３を駆動する。制御信号Ｓｃ４は副期間ＴＰ＿ｓ２に電源スイッチＳＷ４をオンにして、通常電源信号Ｓｐｎ２を供給してオペアンプＯＰ３を駆動する。このように、参照信号Ｓｒｆがエネルギー節約条件を満たさないとき、出力バッファ３は時分割多重方式でオペアンプＯＰ３も駆動し、出力バッファ３によって負荷回路の充電速度を高め、消費電力を低減させる。
【００４３】
ここで示した実施形態においては、参照信号Ｓｒｆがエネルギー節約条件を満たすとき、エネルギー節約電源信号Ｓｐｓ１、Ｓｐｓ２が供給されて、オペアンプＯＰ３を駆動し、参照信号Ｓｒｆがエネルギー節約条件を満たさないとき、通常電源信号Ｓｐｎ１、Ｓｐｎ２が供給されて、オペアンプＯＰ３を駆動する。しかしながら、出力バッファ３はこれに限定されるものではない。他の例においては、出力バッファＯＰ３は１つだけエネルギー節約電源信号を有し、１つだけ通常電源信号を有する。また、出力バッファＯＰ３は、エネルギー節約電源信号と通常電源信号がオペアンプＯＰ３を駆動するのに用いられる副期間の長さを決めることで、異なる駆動能力を有するようにすることもできる。
【００４４】
本実施形態の出力バッファのコントローラーは、第１、第２の位相制御信号によって制御され、作動期間を第１、第２の副期間に分割し、出力バッファのオペアンプＯＰ３における時分割多重制御を行う。このように、従来の出力バッファと比較すると、本発明の出力バッファは低電力消費と高い電気エネルギー使用効率の利点を有する。
【００４５】
一例では、本発明の実施形態の出力バッファは、図８に示すように、ソースドライバー１０に適用され、ｎ個の画素電源信号Ｖｄｐ１'、Ｖｄｐ２'、...、Ｖｄｐｎ'を供給する。ここでｎは１より大きな自然数である。ソースドライバー１０は線形バッファ１２、デジタル・アナログ変換器１４、  および出力段回路１６を有する。線形バッファ１２は、ｎ個の画素データＤｐ１、Ｄｐ２、...、Ｄｐｎをそれぞれ受信し一時的に格納するｎ個のバッファユニット（図示しない）を有する。デジタル・アナログ変換器１４は、画素データＤｐ１〜Ｄｐｎをｎ個の部分のアナログ電圧信号Ｖｄｐ１，Ｖｄｐ２，...，  Ｖｄｐｎにそれぞれ変換するｎ個のＤ／Ａユニット（図示しない）を有する。ここで、ｎは１より大きな自然数である。
【００４６】
出力段回路１６はｎ個の出力バッファ（図示しない）を有し、それぞれはｎ個のアナログ電圧信号Ｖｄｐ１，Ｖｄｐ２，...，  Ｖｄｐｎを入力信号として用い、対応するｎ個の画素電圧信号Ｖｄｐ１'〜Ｖｄｐｎ'を提供する。
【００４７】
また、他の一例においては、本発明の実施形態の出力バッファは、図９に示す他の本発明の観点に従ったソースドライバー２０にも適用可能である。ソースドライバー２０は線形バッファ２２と、デジタル・アナログ変換器２４と、ｍ個の出力バッファ２６＿１、２６＿２、...、２６＿ｍを有する。  ここでｍは１より大きな自然数である。線形バッファ２２は、ｎ個の部分の画素データＤｐ１〜Ｄｐｎをそれぞれ受信し一時的に格納するｎ個のバッファユニット（図示しない）を有する。
【００４８】
出力バッファ２６＿１、２６＿２、...、２６＿ｍは、それぞれｍ個の階調レベルに応じたｍ個のアナログ電圧信号Ｖｉ１、Ｖｉ２、...、Ｖｉｍをそれぞれ受信し、それぞれｍ個の階調レベルに応じたｍ個の階調レベル画素電圧信号Ｖｇｄ１，Ｖｇｄ２，...，Ｖｄｇｍを提供する。デジタル・アナログ変換器２４はｎ個のＤ／Ａユニット（図示しない）を有する。ｎ個のＤ／Ａユニットのそれぞれは、ｎ個の部分の画素データＤｐ１〜Ｄｐｎのそれぞれに応じた階調レベルに従った出力のため、対応する画素電圧信号としてｍ個の階調レベル画素電圧信号Ｖｇｄ１，Ｖｇｄ２，...，Ｖｄｇｍのうちの１つを選択する。
【００４９】
本発明は、例示の方法とより好ましい実施形態により説明されるが、本発明はこれに限定されるものではない。本発明は種々に変形例や類似の構成や方法を包含することを意図し、係属する請求の範囲は、これらの変形例や類似の構成や方法をすべて含むように最も広く解釈されるように同調されるべきものである。
【符号の説明】
【００５０】
１，３  出力バッファ
ＯＰ，ＯＰ１，ＯＰ２，ＯＰ３  オペアンプ
ＣＴ，ＣＴ１，ＣＴ２  コントローラー
ＰＣ，ＰＣ２，ＰＣ３  電源回路
ＳＷ１〜ＳＷ４  電源スイッチ
１２，２２  線形バッファ
１４，２４  デジタル・アナログ変換器
１６  出力段回路
【図１】
2010171947.tif 000003
【図２】
2010171947.tif 000004
【図３】
2010171947.tif 000005
【図４】
2010171947.tif 000006
【図５】
2010171947.tif 000007
【図６】
2010171947.tif 000008
【図７】
2010171947.tif 000009
【図８】
2010171947.tif 000010
【図９】
2010171947.tif 000011